(57)【要約】【課題】  設置台に起立姿勢で装着されたパチンコ機の姿勢制御装置を提供する。【解決手段】  設置台に枠体を起立姿勢で取付け、正面側に遊技部を有し背面側に作動部を有するパチンコ機を枠体に装入して成る構成において、枠体の上枠部及び下枠部の少なくとも一方と設置台の間に、遊技機の背面側から操作可能であると共に、枠体を正面側に向けて進退移動自在且つ固定自在とする姿勢制御手段を設けた構成である。【選択図】  図７
2005245652.tif 000002
【特許請求の範囲】
【請求項１】
設置台(U)に枠体(30)を起立姿勢で取付け、正面側に遊技部を有し背面側に作動部を有するパチンコ機(1)を枠体(30)に装入して成る構成において、
枠体(30)の上枠部(32)及び下枠部(31)の少なくとも一方と設置台(U)の間に、遊技機(1)の背面側から操作可能であると共に、枠体(30)を正面側に向けて進退移動自在且つ固定自在とする姿勢制御手段(33)を設けて成ることを特徴とするパチンコ機の姿勢制御装置。
【請求項２】
姿勢制御手段(33)は、枠体(30)に設けられた枠体側固定部材(35)と、設置台(U)に設けられた設置台側固定部材(36)と、ボルト・ナットから成る調節手段(37)とから成り、
枠体側固定部材(35)と設置台側固定部材(30)を相互にほぼ水平方向に対向配置すると共に、両固定部材(35)(30)を調節手段(37)により相互間隔調節自在に連結して成ることを特徴とする請求項１に記載のパチンコ機の姿勢制御装置。
【発明の詳細な説明】
【技術分野】
【０００１】
本発明は、パチンコ機の姿勢制御装置に関する。
【背景技術】
【０００２】
従来、パチンコ機は、パチンコホールにおいて、いわゆる島を構成する設置台に列設状に設置されている。
【０００３】
パチンコ機は、弾球装置により遊技球を盤面に向けて発射し、盤面に設けられた多数の釘により形成された通過路により遊技球を案内落下させ、通過路の途中に設けた賞球口に遊技球が入ると、遊技者に賞球を提供する。賞球口に入らず落下した遊技球は、遊技球返還用樋を経て球洗浄器へと送られる。
【０００４】
遊技球が賞球口に入り易いかどうかは、盤面に設けられた釘の姿勢の外に、鉛直線に対する盤面の傾斜姿勢が大きな影響を与える。このため、パチンコホールにおいては、営業上、遊技機の起立姿勢を随時調節することが極めて重要である。
【０００５】
ところで、従来、島を構成する設置台は、大工等の職人による木工作業により製作され、角木材等により骨組が形成され、パチンコ機を支持固着するように枠組形成される。パチンコ機は、木製の枠体を備えており、該枠体にパチンコ機を装入することにより取付けるように構成されており、枠体の外形寸法は、規格化されているが、木製の枠体は、現場において、島を形成する木製の骨組に対して釘を打ち込むことにより固着される。
【特許文献１】特開２００３−１５９４６９号公報
【特許文献２】特開２００３−７１１０６号公報
【特許文献３】特開２００２−３３６５３５号公報
【発明の開示】
【発明が解決しようとする課題】
【０００６】
従来技術において、パチンコ機を装着するための枠体は、角木材により骨組形成された設置台に対して釘で打ちつけられているので、上述のようにパチンコ機の起立姿勢を調節するためには、金槌等で釘を叩きながら作業を行う必要があり、作業能率が悪い。
【０００７】
このようなパチンコ機の姿勢調節は、遊技球を盤面に試射することにより賞球口に対する入り具合を確認しながら行われるため、金槌等で釘を叩きながら作業行うことは非能率であって時間を浪費し、特に、パチンコホールを閉店した後、多数のパチンコ機について短時間で行うことが困難である。
【課題を解決するための手段】
【０００８】
本発明は、上記課題を解決したパチンコ機の姿勢制御装置を提供するものであり、その手段として構成したところは、設置台に枠体を起立姿勢で取付け、正面側に遊技部を有し背面側に作動部を有するパチンコ機を枠体に装入して成る構成において、枠体の上枠部及び下枠部の少なくとも一方と設置台の間に、遊技機の背面側から操作可能であると共に、枠体を正面側に向けて進退移動自在且つ固定自在とする姿勢制御手段を設けて成る点にある。
【０００９】
本発明の実施形態において、姿勢制御手段は、枠体に設けられた枠体側固定部材と、設置台に設けられた設置台側固定部材と、ボルト・ナットから成る調節手段とから成り、枠体側固定部材と設置台側固定部材を相互にほぼ水平方向に対向配置すると共に、両固定部材を調節手段により相互間隔調節自在に連結している。
【発明の効果】
【００１０】
本発明によれば、パチンコホールを閉店後、パチンコ機の起立姿勢を調節することにより盤面における賞球口に対する遊技球の入り具合を調節するに際しては、枠体に対してパチンコ機を開き、枠体の背面側に設けられた姿勢制御手段により枠体を進退移動調節すれば良く、作業を極めて簡単容易に行うことができる。
【００１１】
特に、枠体に設けられた枠体側固定部材と、設置台に設けられた設置台側固定部材が、相互にほぼ水平方向に対向配置され、ボルト・ナットから成る調節手段により連結されているので、該調節手段をスパナ等で回転することにより枠体側固定部材と設置台側固定部材の相互間隔を調節することができ、これによりパチンコ機の盤面を鉛直線Ｖに対して、前傾姿勢θ１又は後傾姿勢θ２の何れ方向にも姿勢制御可能であり、しかも、姿勢角度θ１、θ２を微調整することが可能であり、賞球口に対する遊技球の入り具合を正確に調節することができる。
【発明を実施するための最良の形態】
【００１２】
以下図面に基づいて本発明の好ましい実施形態を詳述する。
【００１３】
（設置台ユニットの構成）
図１ないし図５に示すように、複数の設置台ユニットＵは、長手方向に連結することにより、長短自在な島Ｓを構成する。また、複数の設置台ユニットＵは、背合わせ状態で連結することにより、正面側と背面側にパチンコ機１を設置した両面形式の島Ｓ１を構成する。尚、各設置台ユニットＵは、従来の設置台と同様に、パチンコ機１の遊技部を正面側に配置せしめ、パチンコ機１の作動部を背面側に配置せしめている。
【００１４】
設置台ユニットＵは、単数又は複数のパチンコ機１の左右に配置される一対の金属製の柱体２、２により構成されており、図例の場合、柱体２、２は、並設された２台のパチンコ機１、１の左右に配設されている。
【００１５】
図３及び図４に示すように、柱体２は、鉛直線上の第１基軸Ｖ１に沿って延びる同軸上の上柱部３及び下柱部４と、上下柱部３、４の間に位置して第１基軸Ｖ１よりも背面側に偏位する第２基軸Ｖ２に沿って延びる中間柱部５とを一体的に備えており、左右一対の柱体２、２の間に位置して、中間柱部５、５により第１基軸Ｖ１の正面側から背面側に向けて凹入されたパチンコ機設置空間６を形成すると共に、上下柱部３、４のそれぞれにより第２基軸Ｖ２の背面側から正面側に向けて凹入された上部作動部品配設空間７と下部作動部品配設空間８を形成している。
【００１６】
図例の場合、柱体２は、上下柱部３、４と、中間柱部５を、金属製の角パイプにより１本の柱体２として一体に形成されているが、これらを別体に形成し、設置台ユニットＵを組立てる際に相互に嵌入固着することにより、全体として１本の柱体２を一体的に形成するようにしても良い。
【００１７】
上柱部３は、上下方向に間隔を密に配置された係止孔を設けており、正面壁に列設された係止孔３ａと、両側壁に列設された係止孔３ｂ、３ｂと、背面壁に列設された係止孔３ｃを備えている。
【００１８】
下柱部４は、上下方向に間隔を密に配置された係止孔を設けており、正面壁に列設された係止孔４ａと、両側壁にそれぞれ２列に列設された係止孔４ｂ、４ｂを備えている。尚、図示省略しているが、背面壁にも同様の係止孔を列設しても良い。
【００１９】
中間柱部５は、上下方向に間隔を密に配置された係止孔を設けており、両側壁にそれぞれ２列に列設された係止孔５ｂ、５ｂを備えている。尚、図示省略しているが、正面壁と背面壁にも係止孔を列設しても良い。
【００２０】
一対の柱体２、２は、少なくとも１本の梁部材により連結されることにより設置台ユニットＵを構成するが、図示実施形態においては、上柱部３、３を連結する上部梁部材９と、下柱部４、４を連結する枠部材１０から成る下部梁部材１１と、中間柱部５、５を連結するテーブル台１２から成る中間部梁部材１３が使用されており、これらの梁部材は、何れも金属製とされ、一対の支柱２、２に対して着脱自在に固着される。従って、設置台ユニットＵは、各種部品を搬入した後、現場において組立てることが可能である。
【００２１】
上部梁部材９は、図４に示すような溝形の板により構成されており、左右一対の柱体２、２に対して、上柱部３、３の背面壁に設けられた係止孔３ｃに挿着ピン（図示せず）を挿着することにより着脱自体に固着される。図示実施形態において、一対の上柱部３、３の間には、各上柱部３と同様の構成の金属製の補助柱１４が配置され、該補助柱１４も上部梁部材９に固着される。
【００２２】
上柱部３、３及び補助柱１４には、下端近傍部に設けた挿着孔１５を介して、金属角パイプ製の補助梁部材１６が架設される。更に、上柱部３、３及び補助柱１４には、上下方向中間部に設けた挿通孔１７を介して、金属板製の配線用樋部材１８が架設される。この配線用樋部材１８は、上部及び両端を開口せしめた樋により形成され、両側壁に多数のスリット１９を開設している。従って、設置台ユニットＵを構成した状態で、パチンコ機１のために必要とする種々のケーブルは、樋部材１８を配線通路として配線される。この際、ケーブルは、その用途及び機能に応じて色分けされており、樋部材１８の外部からスリット１９を介してその色別を識別することができる。
【００２３】
左右一対の柱体２、２の上柱部３、３の正面側は、その下側部分を金属板製の上部幕板２０により被われる。この上部幕板２０は、上柱部３、３及び補助柱１４の正面壁に設けられた係止孔３ａ、１４ａに挿着ピン（図示せず）を挿着することにより着脱自体に固着される。更に、上柱部３、３の正面側の上側部分を被う開閉自在な金属板製の扉２１が設けられている。この扉２１は、両端上部にヒンジ部材２２、２２を設けており、該ヒンジ部材２２を上柱部３の正面壁に設けられた係止孔３ａに挿着ピン（図示せず）を挿着することにより着脱自体に固着される。扉２１は、常時は、垂れ下がることにより上柱部３、３の正面側を被うが、持ち上げることにより上方に回動し、配線用樋部材１８の内部におけるケーブルの配線状態をメンテナンスすることができる。
【００２４】
下部梁部材１１を構成する枠部材１０は、金属製角パイプにより形成され、左右一対の柱体２、２における下柱部４、４の間に嵌入状に挿入され、下部柱部４、４の側壁に設けられた係止孔４ｂに挿着ピン（図示せず）を挿着することにより着脱自体に固着される。更に、下柱部４、４の正面側は、金属板製の下部幕板２３により被われる。この下部幕板２３は、下柱部４、４の正面壁に設けられた係止孔４ａに挿着ピン（図示せず）を挿着することにより着脱自体に固着される。
【００２５】
中間部梁部材１３を構成するテーブル台１２は、合板等により構成されており、左右一対の柱体２、２における中間柱部５、５の間に嵌入状に挿入された状態で、正面側の両側縁に張り出す耳片１２ａ、１２ａを設けており、該耳片１２ａを下柱部４の頂面４ｐに載置される。尚、例えば、下柱部４の頂面４ｐにボルトを設け、耳片１２ａに該ボルトを挿通する孔を設け、挿通したボルトにナットを締着する等、テーブル台１２を着脱自在に固着する固着手段を設けることが好ましい。
【００２６】
図１ないし図５に示す実施形態は、上述のように複数の設置台ユニットＵを背合わせ状態で連結することにより、正面側と背面側にパチンコ機１を設置した両面形式の島Ｓを構成する。このため、正面側と背面側の設置台ユニットＵ、Ｕの対向する柱体２、２は、相互に金属製の連結部材２４ａにより連結され、連結された設置台ユニットＵの間の上部空間は、金属板から成る天板２４ｂにより閉鎖される。図例の場合、連結部材２４ａは、柱体２における中間柱部５の側壁に設けられた係止孔５ｂに挿着ピン（図示せず）を挿着することにより着脱自体に固着される。尚、各柱体２の下端には、床面上で高さ調整可能なアジャスタ４ｘを設けることが好ましい。
【００２７】
背合わせ状態で連結される設置台ユニットＵ、Ｕの間には、遊技球返還用樋部材２５が設けられる。遊技球返還用樋部材２５は、図４に示すように、設置台ユニットＵの長手方向（左右方向）に延びる金属板製の樋板２６の両端に金属角パイプ製の樋枠部材２７、２７を設けており、樋枠部材２７の縦枠部を左右一対の柱部２、２における下柱部４、４の間に嵌入状に挿入され、下柱部４の側壁に設けられた係止孔４ｂに挿着ピン（図示せず）を挿着することにより着脱自体に固着される。即ち、下柱部４の側壁には２列の係止孔４ｂが設けられているので、その１列を利用することにより上記枠部材１０が固着され、他の１列を利用することにより樋枠部材２７が固着される。この際、樋枠部材２７は、列設された係止孔４ｂを選択することにより、上下方向の取付位置を調節することが可能とされ、該係止孔４ｂにより取付位置調節手段２８が構成される。これと併せて又は選択的に、下柱部４に対する樋板２６の取付位置を調節するため、樋板２６と樋枠部材２７、２７の間に、上下方向に列設された係止孔列と挿着ピンによる取付位置調節手段２９を構成しても良い。
【００２８】
（パチンコ機の取付装置と姿勢制御装置の構成）
パチンコ機１を設置台ユニットＵのパチンコ機設置空間６に取付けるに際しては、図２並びに図６及び図７に示すように、各設置台ユニットＵの該空間６に、木製の枠体３０が起立姿勢で取付けられ、正面側に遊技部を向け背面側に作動部を向けるようにしてパチンコ機１を枠体３０に装入することにより取付けられる。枠体３０にパチンコ機１を装入固定する手段は、従来公知であり、パチンコ機１は枠体３０に対して、図２に示すように、開閉自在である。尚、枠体３０は、パチンコ機１とセット状態でメーカーから提供されており、その寸法及び形状は規格化されている。
【００２９】
枠体３０は、下枠部３１をテーブル台１２に載置され、上枠部３２を上柱部３及び補助梁部材１６の下面に挿入される。そこで、枠体３０の上枠部３２と下枠部３１の少なくとも一方と設置台ユニットＵの間には、パチンコ機１の背面側から操作可能であると共に、枠体３０を正面側に向けて進退移動自在且つ固定自在とする姿勢制御手段３３が設けられている。図示実施形態の場合、枠体３０の下枠部３１に姿勢制御手段３３を設け、上枠部３２には係止手段３４を設けているが、これとは上下反対になるように構成し、上枠部３２に姿勢制御手段３３を設けると共に下枠部３１に係止手段３４を設けるように構成しても良く、或いは、上枠部３２と下枠部３１の両方に姿勢制御手段３３を設けても良い。
【００３０】
図７に示すように、姿勢制御手段３３は、枠体３０の下枠部３１に設けられた枠体側固定部材３５と、テーブル台１２の背縁部に設けられた設置台側固定部材３６と、ボルト・ナットから成る調節手段３７とから構成されており、枠体側固定部材３５と設置台側固定部材３６をほぼ水平方向から対向配置すると共に、両固定部材３５、３６を調節手段３７により相互間隔調節自在に連結している。
【００３１】
図示実施形態において、枠体側固定部材３５は、下枠部３１の水平枠板部３１ａを背面側から抱持する断面ほぼコ字形の部分を有する金属板により形成され、クランプボルト３８を締着することにより水平板枠部３１ａに固着される。そして、枠体側固定部材３５の背壁部には、背面側に突出する調節ボルト３９が溶接等で固設されている。
【００３２】
設置台側固定部材３６は、テーブル台１２の背縁部を背面側から抱持する断面ほぼコ字形の部分を有する金属板により形成され、上壁部に設けられた木ねじ等の固着手段４０を介してテーブル台１２に固着され、上壁部から起立する舌片部４１に前記調節ボルト３９を挿通せしめられる。
【００３３】
そして、前記舌片部４１の背面側に突出した調節ボルト３９の挿出部に調節ナット４２が螺着され、これらの調節ボルト３９と調節ナット４２により調節手段３９が構成されている。尚、図例において、調節ナット４２は、ダブルナットが採用されている。
【００３４】
枠体３０の上枠部３２に設けた係止手段３４は、上枠部３２の背縁部の近傍において上面に木ねじ等の固着手段４３により固着された断面ほぼＬ形の金属板により形成され、起立壁４４を補助梁部材１６の背面に当接係止せしめている。
【００３５】
そこで、パチンコ機１の起立姿勢を調節するに際しては、図２に示すように、枠体３０からパチンコ機１を開き、図７に示す状態から、スパナ等の工具で調節ナット４２を回転することにより調節ボルト３９に対して螺進せしめると、枠体側固定部材３８と共に下枠部３１が背面方向Ｆに移動する。反対に、調節ナット４２を調節ボルト３９に対して螺退せしめると、枠体側固定部材３８と共に下枠部３１が正面方向Ｒに移動する。その結果、パチンコ機１の盤面を鉛直線Ｖに対して、前傾姿勢θ１又は後傾姿勢θ２となるように姿勢制御することが可能であり、しかも、姿勢角度θ１、θ２を微調節することが可能であるから、盤面に設けられた賞球口に対する打球の入り具合を正確に調整することができ、その作業は極めて簡単容易である。
【００３６】
（上記構成に基づく実用的意義）
上述したように、設置台ユニットＵは、柱体２とその他の部材を現場に搬入することにより、現場で組立てることができる。そして、組立てられた設置台ユニットＵの複数を長手方向に連結することにより、島を長短自在に形成することができる。また、設置台ユニットＵの複数を背合わせ状態で連結すれば、正面側と背面側にパチンコ機を設置した両面形式の島を形成することができる。
【００３７】
パチンコ機１の左右に配置される一対の柱体２、２の各々は、第１基軸Ｖ１に沿って延びる上柱部３及び下柱部４と、上下柱部３、４の間に位置して第１基軸Ｖ１よりも背面側に偏位する第２基軸Ｖ２に沿って延びる中間柱部５とを一体的に備えており、左右一対の柱体２、２の間に位置して、中間柱部５、５により第１基軸Ｖ１の正面側から背面側に向けて凹入されたパチンコ機設置空間６を形成しているので、該空間６に臨む下柱部４の頂面４ｐに設置したテーブル台１２を利用することにより、該空間６に対して、枠体３０と共にパチンコ機１を容易に装着することができ、しかも、装着後のパチンコ機１が該空間６に納められ、上柱部３に設けた扉２１及び上部幕板２０や、下柱部４に設けた下部幕板２３と、ほぼ面一状態となり、外観体裁良く装着される。
【００３８】
そして、上柱部３は、第２基軸Ｖ２の背面側から正面側に向けて凹入された上部作動部品配設空間７を形成しているので、上述のように配線用樋部材１８を設けることによりケーブル類を整然と配線することが可能である。しかも、扉２１を開ければ、配線用樋部材１８のスリット１９を介してケーブル類の色分けを好適に視認することができるので、配線のメンテナンスが極めて容易となる。
【００３９】
また、下柱部４は、第２基軸Ｖ２の背面側から正面側に向けて凹入された下部作動部品配設空間８を形成しているので、上述のように遊技球返還用樋部材２５を好適に設けることができる。
【００４０】
ところで、設置台ユニットＵの複数を長手方向に連結することにより形成される島において、遊技球を所定の場所に設置された球洗浄器に向けて返送するためには、設置台ユニットＵにおける遊技球返還用樋部材２５の相互間において、該樋部材２５が全体として球洗浄器に向けて次第に下降するように勾配を形成することが必要であるが、前述のように取付位置調節手段２８又は２９を設けているので、図８に示すように、複数の設置台ユニットＵ１、Ｕ２、Ｕ３を連設した島に関して、それぞれの遊技球返還用樋部材２５を次第に下降するように勾配ないし段差を形成することができる。従って、ユニット化された同一構成の設置台ユニットＵ１、Ｕ２、Ｕ３を所定の店舗で設置するに際し、取付位置調節手段２８又は２９により遊技球返還用樋部材２５の高さ位置を調節するだけで、所望の島が容易に構築される。
【００４１】
そして、パチンコ機１の背面側（設置台ユニットＵの内部空間）には、上柱部３の背面壁に設けた係止孔３ｃや、中間柱部５の側壁において背面側の列を成す係止孔５ｂが配設されているので、適宜のフック部材等の係止具を使用することにより、配電盤や整流器その他の作動部品を整然と配設することが可能であり、その取付作業と、取付後のメンテナンスが容易となる。
【００４２】
ところで、上記実施形態は、複数の設置台ユニットＵを背合わせ状態で連結することにより、正面側と背面側にパチンコ機１を設置した両面形式の島Ｓ１を構築した例を説明したが、設置台ユニットＵを店舗の壁面に沿わせて設置することにより、正面側にのみパチンコ機１を設置した片面形式の島Ｓ２を構築しても良い。図９は、このような片面形式の島Ｓ２の１例を示しており、設置台ユニットＵの背面側には、支柱４５が設けられている。この支柱４５は、上柱部４６と、中間柱部４７と、下柱部４８を鉛直線上の基軸Ｖ３に沿って延設しており、店舗の壁面に沿って設置される。
【図面の簡単な説明】
【００４３】
【図１】設置台ユニットにより形成された両面形式の島の１例を示す斜視図である。
【図２】設置台ユニットの扉とパチンコ機を開いた状態を示す斜視図である。
【図３】設置台ユニットの１実施形態を正面側から示す分解斜視図である。
【図４】設置台ユニットの１実施形態を背面側から示す分解斜視図である。
【図５】設置台ユニットの１実施形態を示す縦断側面図である。
【図６】本発明に係るパチンコ機の姿勢制御装置の１実施形態を示す縦断側面図である。
【図７】姿勢制御装置の１実施形態を拡大して示す縦断側面図である。
【図８】設置台ユニットの連設により形成された島における遊技球返還用樋部材の相互関係を示す説明図である。
【図９】設置台ユニットにより形成された片面形式の島の１例を示す斜視図である。
【符号の説明】
【００４４】
Ｕ    設置台ユニット
１    パチンコ機
２    柱体
３    上柱部
４    下柱部
５    中間柱部
６    パチンコ機設置空間
７    上部作動部品配設空間
８    下部作動部品配設空間
９    上部梁部材
１０    枠部材
１１    下部梁部材
１２    テーブル台
１３    中間梁部材
３０    枠体
３１    下枠部
３２    上枠部
３３    姿勢制御手段
３４    係止手段
３５    枠体側固定部材
３６    設置台側固定部材
３７    調節手段
３８    クランプボルト
３９    調節ボルト
４１    舌片部
４２    調節ナット
４４    起立壁
【図１】
2005245652.tif 000003
【図２】
2005245652.tif 000004
【図３】
2005245652.tif 000005
【図４】
2005245652.tif 000006
【図５】
2005245652.tif 000007
【図６】
2005245652.tif 000008
【図７】
2005245652.tif 000009
【図８】
2005245652.tif 000010
【図９】
2005245652.tif 000011